(57)【要約】【課題】  従来のノンクラスプデンチャーにおける、装着状態から離脱しやすいという欠点を克服した、熱可塑性樹脂の部分義歯を提供する。【解決手段】人工歯と、人工歯が設けられる義歯床２０と、鉤歯にあてがわれるように嵌め合わせる凹状嵌め合わせ部Ｃ１，Ｃ２，Ｃ３を備える部分義歯であって、凹状嵌め合わせ部を含めて、熱可塑性樹脂の一体射出成形加工によって形成され、凹状嵌め合わせ部は、鉤歯に対応する部分をＣ字状に囲んでおり、そのＣ字の内周に沿う内周面は、凹状嵌め合わせ部の裏面に対して交差するように立っていることを特徴とする。【選択図】        図１
2010201092.tif 000002
【特許請求の範囲】
【請求項１】
人工歯と、前記人工歯が設けられる義歯床と、鉤歯にあてがわれるように嵌め合わせる凹状嵌め合わせ部を備える部分義歯であって、
前記部分義歯は、前記凹状嵌め合わせ部を含めて、熱可塑性樹脂の一体射出成形加工によって形成され、
前記凹状嵌め合わせ部は、前記鉤歯に対応する部分をＣ字状に囲んでおり、前記Ｃ字の内周に沿う内周面は、前記凹状嵌め合わせ部の裏面に対して交差するように立っていることを特徴とする、部分義歯。
【請求項２】
前記開口部に面する内周面と、その内周面と前記裏面とのなす角度は、（直角−３０°）〜（直角＋６０°）の範囲にあることを特徴とする、請求項１に記載の部分義歯。
【請求項３】
前記開口部に面する内周面には、前記鉤歯の歯牙部分と歯茎部との境目の凹状屈曲部に対応する突状ラインがないことを特徴とする、請求項１または２に記載の部分義歯。
【請求項４】
前記人工歯のうちの前記鉤歯に対面する端部人工歯において、その端部人工歯の前記義歯床の頬側の部分である頬側義歯床部の高さが、その端部人工歯の前記義歯床から露出する頬側の歯牙部分である頬側露出歯牙部の高さ、よりも小さいことを特徴とする、請求項１〜３のいずれか１項に記載の部分義歯。
【請求項５】
全長さの５０％以上に金属補強線が埋設されていることを特徴とする、請求項１〜４のいずれか１項に記載の部分義歯。
【請求項６】
前記凹状嵌め合わせ部は、前記鉤歯の周囲の６５％を超えて当接しないことを特徴とする、請求項１〜５のいずれか１項に記載の部分義歯。
【請求項７】
前記凹状嵌め合わせ部は、前記鉤歯の頬側に延び出る頬側延び出し部を備えることを特徴とする、請求項１〜６のいずれか１項に記載の部分義歯。
【請求項８】
前記凹状嵌め合わせ部は、前記頬側延び出し部の中央において、その中央部の厚みがその部分の高さの３０％以上あることを特徴とする、請求項７に記載の部分義歯。
【請求項９】
前記頬側延び出し部は、前記鉤歯の周囲の半分である頬側周囲の５０％を超えて当接しないことを特徴とする、請求項７または８に記載の部分義歯。
【請求項１０】
前記凹状嵌め合わせ部は、前記義歯床の壁状部分に凹状に形成され、前記壁状部分が、前記鉤歯の舌側に当接する舌側部、近心側に当接する近心側部、および遠心側に当接する遠心側部により構成されることを特徴とする、請求項１〜６のいずれか１項に記載の部分義歯。
【請求項１１】
前記凹状嵌め合わせ部を少なくとも２つ備え、第１の凹状嵌め合わせ部は、第１の鉤歯に、第１の方向から嵌め合わされ、第２の凹状嵌め合わせ部は、第２の鉤歯に、前記第１の方向と異なる第２の方向から嵌め合わされることを特徴とする、請求項１〜１０のいずれか１項に記載の部分義歯。
【請求項１２】
人工歯と、前記人工歯が設けられる義歯床と、鉤歯にあてがわれるように嵌め合わせる凹状嵌め合わせ部を備える部分義歯の製造方法であって、
使用者の口腔の歯牙の石膏模型を作製する工程と、
前記石膏模型を用いて、前記部分義歯を、前記凹状嵌め合わせ部を含めて、熱可塑性樹脂の一体射出成形加工によって形成する工程と、
前記石膏模型に咬合紙をかぶせた後、その上に前記部分義歯を装着して、前記石膏模型に転写された前記咬合紙の色剤の濃度に応じて、前記部分義歯を削合して、調整することを特徴とする、部分義歯の製造方法。
【発明の詳細な説明】
【技術分野】
【０００１】
本発明は、人工歯以外はオール樹脂製の、いわゆるノンクラスプデンチャーの問題点を克服した、離脱しにくく、かつ装着感に優れた、部分義歯に関するものである。
【背景技術】
【０００２】
旧来のクラスプによる鉤歯（維持歯）に対するカセのような強い拘束による不快感を克服するために、クラスプという概念を超えて、ウィングや大振りの義歯床の顎堤粘膜への密着によって維持力を持たせる、ノンクラスプデンチャーが提案されている（非特許文献１〜３）。これらノンクラスプデンチャーは、いずれも、弾性に富む熱可塑性樹脂の上記ウィングや義歯床によって歯茎を頬側と舌側とから挟み付けることで、装着状態を安定に維持する。熱可塑性樹脂として、ポリカーボネート樹脂、ポリエステル樹脂、ナイロン（ポリアミド）系樹脂等が用いられる。ナイロン系樹脂を用いたノンクラスプデンチャーの例を図１４に示す。ポリエステル樹脂やポリカーボネート樹脂を用いたノンクラスプデンチャーは、図１４に示すものと同じ考えのもとに、同じ構造を有している。米国において既に実用化されているもので、バルプラスト、ルシトーン、ポリカーボネート等の名称で呼ばれる部分義歯である（非特許文献１〜３）。
これらの部分義歯１５０は、図１４に示すように、人工歯以外はすべて熱可塑性樹脂で形成される。図１４から分かるように、維持力を得るための鉤歯（生活歯）は、四周をほとんど囲まれた開口部１６１ｈに入れられ、大振りの義歯床１２０の延長部分のウィングＷと、義歯床の舌側部分とで鉤歯の歯牙および歯茎が挟み付けられる。部分義歯１５０を装着したとき、四周をほとんど囲まれた開口部１６１ｈに鉤歯が入り、鉤歯の周囲は周長の９０％程度もしくはそれ以上が、義歯床１２０に取り囲まれる。
【０００３】
図１５（ａ）は、図１４に示すノンクラスプ部分義歯１５０を、患者の石膏模型に装着して左側の部分を頬側から見た図である。少し下側から見上げる視点での図である。ここでは、２つの点が特徴的である。
１つは、半透明なために外側から識別できるのであるが、鉤歯の歯牙−歯茎の境目である凹状屈曲部に埋め込まれる、ノンクラスプデンチャーにおける突状ラインＺが認められる。図１５（ａ）では、破線Ｚとして表記されている。突状ラインＺは、患者の鉤歯（生活歯）の歯牙と歯茎との境界をなす凹状屈曲部にはまり込む。ノンクラスプデンチャー１５０のウィングＷにおける突状ラインＺの位置から、ウィングＷが鉤歯の歯牙だけでなく、その根本側の歯茎にも当接することは明らかである。
２つ目は、端部人工歯に関するものである。人工歯Ｌ５、Ｌ６は、熱可塑性樹脂製の義歯床１２０に埋め込まれて固定されている。端部人工歯に限らず、人工歯にはＴ字状の連続孔が設けられており、このＴ字状の孔を樹脂が充填することでＴ字状の樹脂ワイヤが形成され、この樹脂ワイヤにより、人工歯は義歯床に固定される。鉤歯に対面する人工歯を端部人工歯と呼ぶが、図１５（ａ）の人工歯Ｌ５およびＬ６は、それぞれ鉤歯Ｌ４およびＬ７に対面しており、ともに端部人工歯である。ノンクラスプデンチャー１５０では、端部人工歯Ｌ５，Ｌ６の部分の義歯床１２０を大きくとるために、かつ鉤歯の歯茎を挟み付けるウィングＷを大きくとるために、端部人工歯の義歯床の頬側の高さＢｅは、端部人工歯の義歯床から露出している歯牙部分Ｔｅよりも大きくとっている。
上記の２点は、ノンクラスプデンチャー１５０の左側（Ｌ側）部分だけでなく、図１５（ｂ）に示すように、右側（Ｒ側）部分についてもいえることである。すなわち図１５（ｂ）において、鉤歯Ｒ５の部分のウィングＷには透けて見える突状ラインＺがあり、そして鉤歯Ｒ５に対面する端部人工歯Ｒ６の義歯床１２０の頬側高さＢｅは、その義歯床１２０から露出した歯牙部の高さＴｅより大きくしてある。
【０００４】
図１６は、図１４のノンクラスプデンチャー１５０を裏側から見た図である。図１６において注意すべき点は、鉤歯が入る開口部１６１ｈでは突状ラインＺを基準にして、歯茎側の歯茎当接面と歯牙側の歯牙当接面とが、同一面（同一曲面）にのっているかのように、食い違いが小さく連続している点にある。この点について、図１７および図１８を用いて詳しく説明する。図１７は、鉤歯Ｒ５のウィングＷを裏面から見た図である。また、図１８（ａ）は、図１７のＸＶＩＩＩａ−ＸＶＩＩＩａ線に沿う断面図である。また図１８（ｂ）は、図１８（ａ）において突状ラインＺに直交する、各当接面上の線を示す図である。図１７および図１８（ａ），（ｂ）より、ノンクラスプデンチャー１５０のウィングＷにおいて、歯牙当接面と、その歯牙当接面から根本側に連続する歯茎当接面は、交差角度がほとんどなく、すなわちθＮが１８０°に近いように形成されている。突状ラインＺに直交する、各当接面上の線がなす角度は、厳密には、歯牙当接面と歯茎当接面とのなす角度に一致しないが、近似的には代用して議論しても問題ない。また、ウィングＷの中央部の高さＹは、ウィング中央部の厚みｄに比べて非常に大きく、厚みｄは、高さＹの２０％程度かそれ以下である。
【０００５】
ここで、従来のノンクラスプデンチャー１５０の上記の特徴をまとめておく。
（１）鉤歯は、四周をほとんど取り囲まれた開口部１６１ｈに入れられる。鉤歯の周囲は周長の９０％程度が義歯床に取り囲まれる。
（２）鉤歯に接触するウィングＷは、鉤歯の歯牙と歯茎とに当接する。ウィングＷには、鉤歯の歯牙と歯茎との凹状境界部に対応して、突状ラインＺが形成される。突状ラインＺはウィングの中央付近に位置する。
（３）鉤歯に対面する人工歯である端部人工歯において、その部分の義歯床の高さＢｅはその義歯床から露出する歯牙部分の高さＴｅより大きい。
（４）鉤歯に接触するウィングＷにおいて、歯牙当接面と歯茎当接面とは大きな交差角度がなく、突状ラインＺを挟んで、ほとんど同一面のように連続する。
（５）ウィングＷの厚みｄは、そのウィングＷの高さＹの２０％程度もしくはそれ以下である。厚みｄはたとえば１ｍｍ程度以下であり、高さＹは６．５ｍｍ程度である。
【０００６】
上記のノンクラスプデンチャーの装着状態の保持について、次のことがいえる。
（Ｋ１）頬側にウィングＷを配置して、舌側の義歯床との間で鉤歯とその歯茎（歯肉）を挟み付け、その弾性力で維持力を確保しようとする。
（Ｋ２）大ぶりの義歯床（熱可塑性樹脂）１２０と顎堤粘膜との大きい密着面積によって、維持力を得ようとする。
（Ｋ３）義歯床は、人工歯の部分では、義歯床は、顎堤粘膜をほぼ完全に覆うように義歯床を配置する。このため、義歯床は薄くして、とくに頬側の義歯床の厚みは薄くして、かつ広くする。美容上、健康を暗示する桜色、またはピンクの義歯床にするのが通例である。
上記の部分義歯１５０によれば、従来の鉤状の金属クラスプによる拘束よりは維持歯の負担が軽減され、装着感も改善される。また、金属クラスプを使用しないため、熱可塑性樹脂の色を桜色などの健康食にすれば、審美性も向上する。また、金属製クラスプを用いないので、溶融状態の熱可塑性樹脂を人工歯を配置した型内に射出して、冷却して型外し、調整することで、簡単に部分義歯を製造することができる。すなわち工程数を節減して能率よく製造することができる。
【先行技術文献】
【非特許文献】
【０００７】
【非特許文献１】バルプラストジャパンホームページ http://www.valplast-japan.com/
【非特許文献２】株式会社杏友会ホームページ http//www.kyoyukai.co.jp/
【非特許文献３】アルテ・インターナショナルホームページ http//www.pi-touch.co.jp
【発明の概要】
【発明が解決しようとする課題】
【０００８】
しかしながら、上記のノンクラスプデンチャーは、使用につれて次第にゆるみが生じ、上下方向への「がたつき」を生じる。このため、食物の咬合・咀嚼に、実際に用いることには問題が多いという意見もある。ただし、対談や談笑時に、相手に歯抜けなどの印象を与えないことを大きな目的とする場合には、非常に有効である。すなわち、非咬合時の歯牙完全性を見せるための部分義歯として用いる上では非常に有用である。ただし、見せるだけの非咬合時の歯牙完全性の保持の目的にしても、上記のノンクラスプデンチャーは、大振りであり、かつ、ウィングＷは、鉤歯の歯牙から歯茎（歯頚部）にまで密着被蓋するため、窮屈感または息苦しさは大きい。
【０００９】
本発明は、上記のノンクラスプデンチャーにおける、工程数を節減した能率よい製造方法という利点を生かしながら、がたつきを生じやすい、または耐久性が不足するという欠点を克服した、熱可塑性樹脂の部分義歯を提供することを目的とする。
【課題を解決するための手段】
【００１０】
本発明の部分義歯は、人工歯と、人工歯が設けられる義歯床と、鉤歯にあてがわれるように嵌め合わせる凹状嵌め合わせ部を備える部分義歯である。この部分義歯は、凹状嵌め合わせ部を含めて、熱可塑性樹脂の一体射出成形加工によって形成され、凹状嵌め合わせ部は、鉤歯に対応する部分をＣ字状に囲んでおり、そのＣ字の内周に沿う内周面は、凹状嵌め合わせ部の裏面に対して交差するように立っていることを特徴とする。
【００１１】
上記の構成によれば、凹状嵌め合わせ部が、鉤歯の歯牙にのみ、とくに歯牙の根本部（豊隆部から根本側の歯牙部分）に横方向（水平方向）からあてがわれて確実に嵌合力を及ぼして嵌め合わされる構造を得ることができる。Ｃ字形状は、ほぼ平面にのっており、その平面は鉤歯の歯軸に直交するような関係を呈する。上記の横方向もしくは水平方向は、このＣ字がのる平面の面内方向となる。上記の本発明の構成によれば、凹状嵌め合わせ部は、歯茎または歯肉に嵌合力を及ぼさない。
凹状嵌め合わせ部の内周面は、底部側を裏面によって限界づけられ、歯茎側に野放図に延びないようにされる。凹状嵌め合わせ部が、歯牙部分にのみ嵌合力が及ぶように構成されると、食物を噛んだとき、歯肉側に押し付けられるが、反発しても歯牙の豊隆部で止められるので、がたつき等を生じて簡単に離脱することがない。
これに対して、凹状嵌め合わせ部が山状斜面をなす歯肉部に当接して圧力を及ぼすと、熱可塑性樹脂は弾力性に富むため、食物を噛んだときその斜面に押し当てられ、ずり下がりながら広げられ、その後、咬合圧が無くなると、歯肉斜面のすその義歯床部分の反発力により、斜面を容易にずり上がり離脱の状態に入る。このため、従来のノンクラスプデンチャーでは、維持力を増すことを目的に設けたウィング等の大振りの部分が歯肉斜面に当たるので、逆に離脱を促進する方向に作用する。
上記本発明の構成の結果、熱可塑性樹脂の一体射出成形による製造方法による工程数の節減による経済性向上などの利点を得ながら、装着状態からの離脱を確実に防止することができる。さらに、歯茎にあたるウィング等を用いないので、窮屈感等を除き、快適な装着感を得ることができる。
なお、上記の凹状嵌め合わせ部は、義歯床などと一体射出成形加工で熱可塑性樹脂により形成されるので、義歯床の延長部とみることができる。このため、凹状嵌め合わせ部の裏面は、義歯床の延長部の裏面、または義歯床に近接して凹状嵌め合わせ部が形成される場合は、義歯床の裏面といってもよい。また、上記の熱可塑性樹脂はどのような種類の熱可塑性樹脂であってもよい。
【００１２】
上記の開口部に面する内周面と、その内周面と裏面とのなす角度を、（直角−３０°）〜（直角＋６０°）の範囲にすることができる。ここで、凹状嵌め合わせ部の裏面については、義歯床の裏面とみることができるという上述の説明が適用される。内周面と裏面とのなす角度を直角または直角から所定角度範囲内とすることで、内周面を確実に歯牙部分にのみ嵌め合わせることができる。仮に上記の角度が１８０°に近い角度の場合、歯牙部分に連続して歯茎にも当接する可能性のある凹状嵌め合わせ部となり、装着状態から離脱を促進する形状となりやすい。内周面と裏面とのなす角度が、１５０°（直角＋６０°）を超えると、上述のように裏面において歯茎に圧力を及ぼす可能性がある。すなわち内周面が、底部側を明確に裏面によって限界づけられず、歯茎側に野放図に延びて圧力を及ぼすようになる。より好ましくは、上記角度は１２０°（直角＋３０°）以下とする。また、上記の角度が６０°（直角−３０°）未満になると凹状嵌め合わせ部が薄くなる箇所を局所的に生じ、凹状嵌め合わせ部の剛性を低下させるので好ましくない。よって６０°以上とするのがよい。なお、凹状嵌め合わせ部には裏面といえるほどの面状部分が形成されない場合もある。曲率半径が小さい曲面の場合などである。とくに後で説明する頬側延び出し部を有する場合では、そのような凹状嵌め合わせ部の構造になりやすい。そのような場合、凹状嵌め合わせ部に近接する義歯床の裏面をマクロ的に見て、上記の裏面とみなすこととする。
【００１３】
上記の開口部に面する内周面には、鉤歯の歯牙部分と歯茎部との境目の凹状屈曲部に対応する突状ラインがないようにできる。これによって、上記の突状ラインが形成されないように、凹状嵌め合わせ部の内周面の高さ（歯軸方向の幅）は、鉤歯の歯茎にかからないように小さく（短く）切り上げられる。この結果、鉤歯の歯牙部分のみへの嵌合が担保される。
【００１４】
人工歯のうちの鉤歯に対面する端部人工歯において、その端部人工歯の義歯床の頬側の部分である頬側義歯床部の高さを、その端部人工歯の義歯床から露出する頬側の歯牙部分である頬側露出歯牙部の高さ、よりも小さくすることができる。これによって、端部人工歯の義歯床の頬側部分から凹状嵌め合わせ部にかけて連続して、歯牙部分にのみ嵌め合い、かつ歯肉にはかからない熱可塑性樹脂部分をなだらかな傾斜で形成することができる。すなわち、端部人工歯の頬側義歯床部の高さは小さく、小振りになっているので、そのまま、なだらかに（急峻に切り上げることなく）、歯肉にかからず鉤歯の歯牙部分にのみ嵌め合わされる熱可塑性樹脂製の頬側部分を形成することができる。
【００１５】
全長さの５０％以上に金属補強線を埋設することができる。熱可塑性樹脂は弾性に富み、熱可塑性樹脂のみで義歯床を形成すると、歯列方向に波打つ状態を生じる。たとえば、下顎の部分義歯の場合、右奥歯で堅めの食物を咬合するとき、当該右奥歯の部分で圧縮され、前歯付近で浮き上がるような波打ちを生じやすい。このような歯列に沿った波打ちも従来のノンクラスプデンチャーの装着状態からの離脱を助長すると考えられる。本構成のように、５０％以上にわたって補強線を埋設することで、義歯床全体の剛性を高め、上記波打ちの発生を抑止することができる。このような金属補強線を用いることで、弾性に富む熱可塑性樹脂を用いながら、レストやウィングなどを用いることなく、歯牙にのみ嵌め合わされる凹状嵌め合わせ部のみで装着状態を安定に保つことができる。
【００１６】
凹状嵌め合わせ部は、鉤歯の周囲の６５％を超えて当接しないようにできる。これによって、上記の利点を得ながら、装着時の窮屈感をより一層緩和することができる。
【００１７】
凹状嵌め合わせ部を、鉤歯の頬側に延び出る頬側延び出し部を備えることができる。これによって、患者の残存歯の状態に応じて、熱可塑性樹脂製の頬側延び出し部を持つ凹状嵌め合わせ部とすることができる。舌側は舌側延び出し部により構成してもよいし、義歯床の壁状部分で構成してもよい。このあと説明する、義歯床の壁状部分のみによって構成される凹状嵌め合わせ部と組み合わせて、患者に最適な部分義歯を形成することができる。ここで頬側延び出し部と舌側部分とは、凹状嵌め合わせ部を人工歯の歯列の中心線で区切って、頬側の部分を頬側延び出し部、反対側を舌側部分とする。
【００１８】
凹状嵌め合わせ部の頬側延び出し部の中央において、その中央部の厚みをその部分の高さの３０％以上とすることができる。これによって、頬側延び出し部は比較的大きな剛性を持つことができ、歯牙面に相当な力をもって嵌め合わされることが可能になる。すなわち、薄い面状の当接部（ウィング）でなく、分厚いクラスプによって、鉤歯への嵌め合わせをより安定させることができる。長期間の使用に対する耐久性も向上することができる。
【００１９】
頬側延び出し部は、鉤歯の周囲の半分である歯牙面頬側部分の５０％を超えて当接しないようにできる。これによって、熱可塑性樹脂製の頬側延び出し部が見えることによる違和感を抑制することができる。上述のノンクラスプデンチャーは、鉤歯の歯肉を覆うウィングを用いるので、鉤歯の周囲の半分である歯牙面頬側部分のほとんど１００％を意図的に覆うようにする。しかし、本発明の部分義歯では、歯肉には嵌め合わされないので、使用者の真の歯茎は露出され、その上の歯牙が部分的に上記頬側延び出し部によって隠されることになる。このため、頬側延び出し部は、やはり短いほうが審美性の点では好ましい。上記の５０％を超えない範囲とすることで、見た目に違和感は小さく、審美性は確保される。また装着時の窮屈感を小さくする上でも効果がある。
【００２０】
上記のように、頬側および舌側に延び出し部を持たない場合、凹状嵌め合わせ部は、義歯床の壁状部分に凹状に形成され、壁状部分を、鉤歯の舌側に当接する舌側部、近心側に当接する近心側部、および遠心側に当接する遠心側部により構成することができる。これによって、患者の残存歯の状態に応じて、頬側に延び出し部がある凹状嵌め合わせ部と組み合わせて、適切な凹状嵌め合わせ部を形成することができる。
【００２１】
凹状嵌め合わせ部を少なくとも２つ備え、第１の凹状嵌め合わせ部は、第１の鉤歯に、第１の方向から嵌め合わされ、第２の凹状嵌め合わせ部は、第２の鉤歯に、第１の方向と異なる第２の方向から嵌め合わされる構造をとることができる。これによって、離脱方向の異なる２つの凹状嵌め合わせ部によって、装着されるので、食物を噛んで咀嚼しても、確実な装着状態を保つことができる。なお、上記の第１の方向および第２の方向は、鉤歯などの歯軸方向に直交する平面の面内方向に属する。
【００２２】
本発明の部分義歯の製造方法は、人工歯と、人工歯が設けられる義歯床と、鉤歯にあてがわれるように嵌め合わせる凹状嵌め合わせ部を備える部分義歯を製造する。この方法は、（１）使用者の口腔の歯牙の石膏模型を作製する工程と、（２）その石膏模型を用いて、部分義歯を、凹状嵌め合わせ部を含めて、熱可塑性樹脂の一体射出成形加工によって形成する工程と、（３）石膏模型に咬合紙をかぶせた後、その上に部分義歯を装着して、石膏模型に転写された咬合紙の色剤の濃度に応じて、部分義歯を削合して、調整することを特徴とする。
【００２３】
咬合紙は、本来は、部分義歯を使用者に装着して、その咬合紙を上下の歯で咬合させて咬合紙から転写される色剤の濃淡により歯牙の噛み合わせの具合をみるために用いられる。しかし、本発明のように部分義歯の製造に用いることができ、とくに熱可塑性樹脂の一体射出成形で製造された部分義歯の場合、凹状嵌め合わせ部に金属クラスプを含まないので、咬合紙の色剤が濃く転写された部分を容易に削合することができ、調整の能率を非常に向上させることができる。すなわち、本発明の部分義歯は、金属クラスプを含まず、柔らかい材質で作製されているため、低い精度の削合では緩みが生じ、不具合の原因となる。上記の要領で咬合紙を使うことにより、印記された部分について、削合すべき箇所を正確に把握でき、高精度の削合を実現することができる。この調整によって、部分義歯は円滑な脱着を行うことが可能となり、また、維持、支持、把持の全てを確保することができる。上記のように咬合紙を使うことで、部分義歯の内面の見えにくい箇所の凹凸等の形状が明らかになる。このような作用は他の手段では得ることができない。とくに凹状嵌め合わせ部に金属クラスプを含まず、低い精度の調整によって緩みを生じやすい本発明の部分義歯において、上記の製造方法はきわめて有益である。
【発明の効果】
【００２４】
本発明によれば、ノンクラスプデンチャーにおける、装着状態から離脱しやすいという欠点を克服した、熱可塑性樹脂の部分義歯を得ることができる。
【図面の簡単な説明】
【００２５】
【図１】本発明の実施の形態１における部分義歯を石膏模型に装着した状態を示す斜視図である。
【図２】図１の部分義歯を示す斜視図である。
【図３】図１の部分義歯の凹状嵌め合せ部Ｃ１の図であり、（ａ）は鉤歯側、裏面側から見た図、（ｂ）は（ａ）のＩＩＩｂ−ＩＩＩｂ線に沿う断面図、（ｃ）は鉤歯側、表面側から見た図、（ｄ）は頬側から見た側面図、である。
【図４】（ａ）は鉤歯に嵌め合わせた状態の凹状嵌め合わせ部Ｃ１の平面図、（ｂ）は（ａ）におけるＩＶｂ−ＩＶｂ線に沿う断面図、である。
【図５】図１の部分義歯の凹状嵌め合わせ部Ｃ２，Ｃ３の拡大図である。
【図６】凹状嵌め合わせ部Ｃ２，Ｃ３を舌側、義歯床裏面側から見た図である。
【図７】凹状嵌め合わせ部Ｃ２，Ｃ３を鉤歯に嵌め合わせた状態を歯牙頂部側から見た平面図である。
【図８】本実施の形態の部分義歯の凹状嵌め合わせ部を鉤歯に嵌め合わせた状態を示し、（ａ）は凹状嵌め合わせ部Ｃ１の場合の断面図、（ｂ）は凹状嵌め合わせ部Ｃ２，Ｃ３の場合の断面図、である。
【図９】従来のノンクラスプデンチャーを装着したときのウィング部分を示す断面図である。
【図１０】本発明の実施の形態１における部分義歯の製造工程を示す工程図である。
【図１１】図１０の製造工程ｎおなかの調整の工程を示す図である。
【図１２】本発明の実施の形態２における部分義歯を示す斜視図である。
【図１３】図１２の部分義歯の凹状嵌め合せ部Ｃ２の拡大図である。
【図１４】従来のノンクラスプデンチャーを示す斜視図である。
【図１５】従来のノンクラスプデンチャーを石膏模型に装着した状態を示し、（ａ）は左側のウィング付近を、（ｂ）は右側のウィング付近を、示す図である。
【図１６】従来のノンクラスプデンチャーを裏側から見た図である。
【図１７】従来のノンクラスプデンチャーの右側の開口部を裏側から見た図である。
【図１８】（ａ）は図１７のＸＶＩＩＩａ−ＸＶＩＩＩａ線に沿う断面図、（ｂ）は突状ラインを挟む歯牙当接面と歯茎当接面とがなす角度を説明するための図、である。
【発明を実施するための形態】
【００２６】
（実施の形態１）
図１は、本発明の実施の形態１における部分義歯１０を石膏模型Ｍに装着した状態を示す斜視図である。この部分義歯１０は、上顎用であり、義歯床２０と、樹脂製の人工歯３１と、鉤歯（維持歯）への凹状嵌め合せ部Ｃ１，Ｃ２，Ｃ３とを備える。残存歯である鉤歯は、Ｒ５、Ｒ３およびＬ７の３本であり、それぞれの鉤歯に、次の凹状嵌め合わせ部が嵌め合わされている。
鉤歯Ｌ７：凹状嵌め合わせ部Ｃ１
鉤歯Ｒ５：凹状嵌め合わせ部Ｃ２
鉤歯Ｒ３：凹状嵌め合わせ部Ｃ３
図２は、図１の部分義歯１０を表面側から見た斜視図である。凹状嵌め合わせ部Ｃ１における内周面Ｆが鉤歯の歯牙部分にのみ嵌め合わされる。内周面Ｆが鉤歯の歯牙当接面である。上記の凹状嵌め合わせ部Ｃ１と、凹状嵌め合わせ部Ｃ２，Ｃ３とは、図２に示すように、次の点で異なる形状を持つ。
（凹状嵌め合わせ部Ｃ１）：
鉤歯の頬側に延び出る頬側延び出し部１１と、鉤歯の舌側に延び出る舌側延び出し部２１とで構成される。舌側部分については、延び出し部ではなく壁状部分で形成されたものであってもよい。頬側延び出し部１１を持つタイプの凹状嵌め合わせ部を「延び出し構造の嵌め合わせ部」または単に「延び出し構造」と呼ぶ。
（凹状嵌め合わせ部Ｃ２，Ｃ３）：
鉤歯の舌側および該鉤歯の近心側および遠心側の両側部に当接する義歯床の壁状部分３３，３４，３５により構成される。このタイプの凹状嵌め合わせ部を「壁状構造の嵌め合わせ部」または単に「壁状構造」と呼ぶ。
【００２７】
義歯床２０には、金属補強線２９が埋設されている。金属補強線２９は、義歯床の全長の５０％以上にわたっている。この部分義歯１０では、義歯床２０と、凹状嵌め合せ部Ｃ１，Ｃ２，Ｃ３と、金属補強線２９および人工歯とを、熱可塑性樹脂の一体射出成形によって一体化して形成する。金属補強線２９および人工歯は、勿論、熱可塑性樹脂ではないが、溶融状態の熱可塑性樹脂を型内に射出するとき、あらかじめ型内に配置しておくことで、熱可塑性樹脂の冷却後に、当該熱可塑性樹脂と一体化される。このため、人工歯以外の表面に露出する部分は、熱可塑性樹脂のみで形成される。したがって、旧来の金属製クラスプはないので、審美性に優れ、かつ鉤歯への拘束を除くことができる。
また、本発明の部分義歯１０には、レスト等は不要であり、上記の凹状嵌め合せ部Ｃ１，Ｃ２，Ｃ３により維持力を生じさせる。図１に示す、凹状嵌め合せ部Ｃ１，Ｃ２，Ｃ３に関する装着方法ならびにキーおよびロックなどの用語については、あとで、装着状態の安定性に関連して説明する。
図１において、凹状嵌め合せ部Ｃ１は、水平方向または横方向から嵌め合わされ、凹状嵌め合せ部Ｃ２，Ｃ３は、上下方向または縦方向から嵌め合わされる。ここで、注意すべき点は、嵌め合わせと脱離の方向は、単純な上下方向または縦方向ではなく、複雑な軌跡を描きながら嵌め合わされ、また脱離される。この点で、従来の部分義歯の装着および脱離の仕方とは大きく異なる。そして、一方の凹状嵌め合せ部Ｃ１の嵌め合わせ方向と、他方の凹状嵌め合せ部Ｃ２，Ｃ３の嵌め合わせ方向とが異なる点が重要である。一方をキー、他方をロックと呼ぶ場合がある。使用者の口腔内の状態によっては、両方とも水平方向を嵌め合わせ方向とするが、両者の方向は、水平面内において、あくまで異なる。なお、本発明の実施の形態における部分義歯では、説明の簡明さを重視して、脱着方向を縦方向、横方向などと記すが、実情は全ての部分義歯において上記のように複雑な軌跡を描く。
【００２８】
図３は、凹状嵌め合わせ部Ｃ１の拡大図であり、（ａ）は義歯床裏面２０ｂを上にして裏面側を見た図であり、（ｂ）は（ａ）におけるＩＩＩｂ−ＩＩＩｂ線に沿う断面図であり、（ｃ）は義歯床２０の表面側から見た図であり、また、（ｄ）は頬側から見た図である。図３（ａ）において、内周面Ｆは、凹状嵌め合わせ部Ｃ１の側端面として形成されており、義歯床の裏面２０ｂに対して交差するように立っている。その交差角θＮは、１２０°以下である。すなわち、歯牙部分にのみ嵌め合わされる、内周面Ｆの根本側は、義歯床裏面２０ｂによって限界を決められる。この結果、内周面Ｆは、確実に歯茎への嵌め合わせを防止される。
上記の内周面Ｆが義歯床裏面２０ｂによって根本側の限界を決められるという点に、従来のノンクラスプデンチャーとは、構造において大きな相違が生じる。図１７および図１８に示したノンクラスプデンチャー１５０のウィングＷのように、歯牙当接面Ｆとその根本側に連続する面（歯茎当接面Ｂｖ）とがなす角度は、ほとんど１８０°である。すなわち、歯牙部分にのみ当接する部分Ｆは、その根本側の限界を決められるということはなく、むしろ根本側に延長する。その延長する部分として、歯茎当接部Ｂｖが設けられている。歯牙部分にのみ当接する部分Ｆから連続して、歯茎に当接する部分Ｂｖに連続して延長するためには、鉤歯の歯牙部分と歯茎部との境目の凹状屈曲部に対応する突状ラインができるのは必然である。このため、従来のノンクラスプデンチャー１５０のウィングＷには、図１７および図１８に示すように突状ラインＺが設けられる。本発明の部分義歯１０では、突状ラインＺは勿論ない。本実施の形態の部分義歯１０は、突状ラインより頂部側の部分のみで、維持力を生じさせることができるように、ノンクラスプデンチャー１５０とは構造が基本的に相違する。
【００２９】
本実施の形態の凹状嵌め合わせ部Ｃ１〜Ｃ３に共通することであるが、鉤歯への嵌め合わせは、義歯床２０を曲面状板状体とみなして、その板状体を凹状にえぐることで形成される（図３（ｃ）参照）。このため、この凹状嵌め合わせ部Ｃ１〜Ｃ３は高い剛性を持ち、堅固に鉤歯に嵌め合わされる。鉤歯の歯牙部分に凹状部分が水平方向または上下方向から嵌め合わされると、この高い剛性のため、咬合圧、離脱力等を受けても装着状態を安定に維持することができる。従来のノンクラスプデンチャー１５０では、熱可塑性樹脂の薄い面状体によって、鉤歯の歯牙と歯茎を含めて、舌側と頬側とから挟み付けて、維持力を得ようとする。このとき、ノンクラスプデンチャー１５０では、鉤歯の上から上下方向に押し込み、上記の面状体による挟み付けで維持力を得ようとする。このため本実施の形態の部分義歯１０と、従来のノンクラスプデンチャー１５０とは、構造が大きく相違する。
【００３０】
図３（ｄ）を用いて、人工歯のうちの鉤歯に対面する端部人工歯について説明する。本実施の形態における部分義歯１０では、端部人工歯Ｌ６の義歯床の頬側の部分である頬側義歯床部の高さＢｅは、その端部人工歯Ｌ６の義歯床から露出する頬側の歯牙部分である頬側露出歯牙部の高さＴｅ、よりも小さい。これによって、端部人工歯Ｌ６の義歯床の頬側部分から、凹状嵌め合わせ部Ｃ１にかけて、鉤歯の歯牙部分にのみ嵌め合い、かつ歯茎にはかからない熱可塑性樹脂製の頬側延び出し部１１を、なだらかな傾斜で形成することができる。すなわち、端部人工歯の頬側義歯床部の高さは小さく、小振りになっているので、そのまま、なだらかに（急峻に切り上げることなく）、鉤歯の歯牙部分にのみ嵌め合わされる熱可塑性樹脂製の頬側延び出し部を形成することができる。
これに対して、従来のノンクラスプデンチャー１５０では、図１５（ａ），（ｂ）に示すように、端部人工歯Ｌ５，Ｌ６，Ｒ６の義歯床の頬側の部分である頬側義歯床部の高さＢｅは、それぞれの端部人工歯の義歯床から露出する頬側の歯牙部分である頬側露出歯牙部の高さＴｅ、よりも大きい。これは、ノンクラスプデンチャー１５０では、ウィングＷを鉤歯の歯牙および歯茎の両方に当接するように大きくして、かつ義歯床１２０も大振りにすることの帰結である。本実施の形態における部分義歯１０の考え方と、ノンクラスプデンチャー１５０の考え方との相違を表す構造上の特徴の一つといえる。
【００３１】
図４は、延び出し構造の凹状嵌め合わせ部Ｃ１を鉤歯Ｌ７の頂部側から見た図である。凹状嵌め合わせ部Ｃ１は、鉤歯Ｌ７の周囲を取り囲んでいるが、鉤歯Ｌ７の周長の６５％以下であり６５％を超えてはいない。また、頬側延び出し部１１の周長は、鉤歯頬側周長の５０％以下である。また、鉤歯頬側周長は鉤歯周長の半分であるから、頬側延び出し部１１の周長は、鉤歯の周長の２５％以下である。このような周長の限定は、図１４以降に示した従来のノンクラスプデンチャー１５０の鉤歯のための開口部１６１ｈと大きな相違となる。本実施の形態の部分義歯１０は、凹状嵌め合わせ部Ｃ１は上からかぶせるように嵌め入れずに、歯軸に交差する横方向からあてがうように嵌め合わせる。このため、上述のような周長の限定は必然となる。周長を限定しないと、横方向から凹状嵌め合わせ部を鉤歯に嵌め合わせることができない。熱可塑性樹脂であっても違和感は生じるので、このような周長の制限は、装着状体の違和感を緩和するのに有効である。
図４（ｂ）は、図４（ａ）におけるＩＶｂ−ＩＶｂ線に沿う断面図である。この断面位置は、頬側延び出し部１１の中央付近である。この断面図によれば、厚みｄが、その部分の高さ（幅）Ｙの３０％以上あることは明白である。これによって、頬側延び出し部１１は大きな剛性を持つことができ、嵌め合わされた状態を安定に維持することが可能になる。すなわち、薄い面状の当接部（ウィング）でなく、分厚い凹状嵌め合わせ部によって、鉤歯への嵌め合わせをより安定させることができる。長期間の使用に対する耐久性も向上させることができる。
ここで、図４（ｂ）に示すように、凹状嵌め合わせ部Ｃ１の頬側延び出し部１１には裏面といえるほどの面状部分が形成されず、側面へと湾曲している。頬側延び出し部では、このような裏面がないといってよい形態の凹状嵌め合わせ部の構造になりやすい。この場合、頬側延び出し部１１に近接する義歯床の裏面２０ｂをマクロ的に見て、上記の裏面とみなすことができる（図３（ａ）参照）。このマクロ的に見て義歯床裏面２０ｂと、頬側延び出し部１１の内周面Ｆとのなす角度が、６０°〜１５０°の範囲内にあればよく、図３（ａ）より、上記角度は、あきらかにこの角度範囲内にある。
【００３２】
図５は、壁状構造の凹状嵌め合わせ部Ｃ２，Ｃ３の部分を、やや頬側、歯牙頂部側から見た斜視図である。また、図６は、同じく凹状嵌め合わせ部Ｃ２，Ｃ３を義歯床裏面２０ｂの側から見た斜視図である。図７は、石膏模型に部分義歯を装着した状態で、凹状嵌め合わせ部Ｃ２，Ｃ３を歯牙頂部側から見た平面図である。なお、金属補強線は図が複雑になるので省略してある。これら図５〜図７から、次のことが確認される。
（１）壁状構造タイプの凹状嵌め合わせ部Ｃ２，Ｃ３は、鉤歯の舌側部３３と、近心側部３４と、遠心側部３５とで形成される。この構造は、延び出し構造タイプの凹状嵌め合わせ部Ｃ１とは異なる。
（２）壁状構造の凹状嵌め合わせ部Ｃ２，Ｃ３の内周面Ｆは、その根本側を義歯床裏面２０ｂに画され（限界づけられ）、義歯床裏面２０ｂに対して交差するように立っている。見方を変えて、義歯床２０を曲面状板状体とみなすと、内周面Ｆは、その板状体を凹状にえぐることで形成された側端面とみることができる。そして、内周面Ｆと、凹状嵌め合わせ部の裏面または義歯床裏面２０ｂとのなす角度は、直角に近く、明らかに（直角−３０°）〜（直角＋６０°）の範囲にある。これは、延び出し構造の凹状嵌め合わせ部Ｃ１でも同様であった。
（３）内周面Ｆは、幅（高さ方向）は短く切り上がっていて、鉤歯の歯牙と歯茎との境界の凹状屈曲部に対応する突状ラインはない。これも、延び出し構造の凹状嵌め合わせ部Ｃ１と同様である。
（４）図７に示すように、凹状嵌め合わせ部Ｃ２，Ｃ３は、それぞれ、鉤歯Ｒ３およびＲ５の周囲の周長の６５％以下に嵌め合わされている。この周長の制限も、延び出し構造の凹状嵌め合わせ部Ｃ１と同じである。
（５）端部人工歯Ｒ２，Ｒ６について、その端部人工歯の頬側露出部の高さＴｅは、その根本側の頬側義歯床部の高さＢｅよりも大きい。すなわち、Ｔｅ＞Ｂｅ、が満たされている。この構造も、延び出し構造の凹状嵌め合わせ部Ｃ１と同じである。
上記（１）のように、壁状構造の凹状嵌め合わせ部Ｃ２，Ｃ３は、形状は、延び出し構造の凹状嵌め合わせ部Ｃ１と異なるが、その構造上の特徴である上記（２）〜（５）は同じである。上記（２）〜（５）の構造についての作用効果も、当然、同じである。
【００３３】
−装着状態の安定性−
（本実施の形態の部分義歯１０）：
（１）図８は、本実施の形態における部分義歯１０を患者に装着したときの、装着状態などを示す図であり、（ａ）は凹状嵌め合わせ部Ｃ１、また（ｂ）は凹状嵌め合わせ部Ｃ２，Ｃ３を示す。図８（ａ）において、頬側延び出し部１１および舌側延び出し部２１は、共に、鉤歯Ｌ７の歯牙部分にのみ嵌め合わされ、歯肉または歯茎に嵌め合わされることはない。患者の口腔内状態がよほど特殊な例外を除いて、本実施の形態の部分義歯１０は、歯軸に交差する方向（横方向または水平方向）に沿って装着される。食物を咬合するときにかかる咬合圧は、基本的には人工歯が位置する部分の義歯床を介して顎堤粘膜によって負担される。凹状嵌め合わせ部Ｃ１，Ｃ２，Ｃ３は、咬合圧が部分義歯１０にかかっても、ほとんど位置を変えない。そして、咬合圧とは逆向きの力（離脱力）に対しては、嵌め合わせは、鉤歯の豊隆部から根本側にかけて行われるので、鉤歯の頂部側に断面が広がるテーパがあるため、離脱は防止される。
なお、歯牙と歯茎との境目に凹状屈曲部Ｋが位置するが、この凹状屈曲部Ｋより上の歯牙にのみ、凹状嵌め合わせ部Ｃ１，Ｃ２，Ｃ３は嵌め合わされる。
（２）上記の凹状嵌め合わせ構造では、装着は水平方向から鉤歯の根本に行われる。装着および脱着が、離脱方向と異なる方向（横方向または水平方向）に沿ってなされることは、離脱防止に有効に作用する。しかも、凹状嵌め合わせ部Ｃ１と、凹状嵌め合わせ部Ｃ２，Ｃ３とは、同じ水平面でも異なる方向から装着される構造になっている。
図１に、凹状嵌め合わせ部Ｃ１と凹状嵌め合わせ部Ｃ２，Ｃ３の装着方向などを示してある。部分義歯１０を装着するとき、まず凹状嵌め合わせ部Ｃ１（第１の凹状嵌め合わせ部）を鉤歯Ｌ７に、水平方向または横方向（第１の方向）に移動させて、ゆるく嵌め合わせる。次いで、この凹状嵌め合わせ部Ｃ１を支点にして、部分義歯１０全体を、上下方向また縦方向（第２の方向）に沿わせて、凹状嵌め合わせ部Ｃ２，Ｃ３（第２の凹状嵌め合わせ部）を鉤歯Ｒ３，Ｒ５に嵌め合わせる。第１の方向と第２の方向とは異なる。上述のように、第１の凹状嵌め合わせ部Ｃ１をキーと呼び、第２の凹状嵌め合わせ部Ｃ２，Ｃ３をロックと呼ぶ。第２の凹状嵌め合わせ部は１つあれば十分である。ロックが外れない限り、キーは外すことはできない。ロックの離脱方向は、第２の装着方向（横方向または水平方向）を逆にたどる方向であるから、図８に示す縦方向の離脱力に対しては、まったく離脱しない。なお、キー、ロックという名称は、一般的なものではない。このように、凹状嵌め合わせ部が２つ以上あり、装着方向が異なるものが２つ以上あるという点は、このあと説明する従来のノンクラスプデンチャー１５０の装着方向が鉤歯頂部側から根本側への、一方向の移動によって装着するのと大きな相違である。
なお、使用者の口腔内の状態によっては、Ｃ１の嵌め合わせ方向を上下方向として、Ｃ２，Ｃ３の嵌め合わせ方向を水平方向とすることもある。先にＣ２，Ｃ３を嵌め合わせて、その後でＣ１を嵌め合わせる場合は、Ｃ２，Ｃ３がキーで、Ｃ１がロックとなる。
（ノンクラスプデンチャー１５０）：
図９は、従来のノンクラスプデンチャー１５０を患者に装着したときの、装着状態、装着方向などを示す図である。ノンクラスプデンチャー１５０では、鉤歯を開口部１６１ｈに入れるようにして、鉤歯の頂部側から歯軸に沿って上から下に、縦方向に装着する。この装着によって、鉤歯の歯牙および歯茎を、舌側と頬側から挟み付ける。この挟み付けることで装着状態を安定に維持しようとする。しかし、ノンクラスプデンチャーの義歯床１２０およびウィングＷが、凸状に湾曲する斜面をなす歯肉部に当接して圧力を及ぼすと、熱可塑性樹脂は弾力性に富むため、食物を噛んだときその斜面に押し当てられ、ずり下がりながら広げられ、その後、咬合圧が無くなると、歯肉斜面のすその義歯床部分の反発力により、斜面を容易にずり上がり離脱の状態に入る。この繰り返しにより使用につれてゆるみを生じ、がたつきが発生して、離脱しやすくなると考えられる。従来のノンクラスプデンチャーでは、維持力を増すことを目的に設けたウィング等の大振りの部分が歯肉の斜面に当たるので、逆に離脱を促進する方向に作用すると考えられる。また、歯牙と歯茎との境目の凹状屈曲部Ｋに、突状ラインＺが嵌め入れられるが、歯牙側が後退し、歯肉側が出っ張る台地状であるので、歯牙頂部側へと離脱させる離脱力に対しては、アンカー効果はほとんど期待できない。
【００３４】
上記本発明の構成の結果、熱可塑性樹脂の一体射出成形による製造方法による経済性などの利点を得ながら（このあと説明する）、装着状態からの離脱を確実に防止することができる。さらに、歯茎にあたるウィングや、大振りの義歯床を用いないので、窮屈感等を除き、快適な装着感を得ることができる。
【００３５】
図１０は、本実施の形態における部分義歯１０を製造する方法の一例を示す工程図である。まず、患者の印象を採取して、次いで、次の工程にしたがって製造する。
石膏模型→ろう義歯製作（金属補強線などの金属部分、人工歯等を老義歯に配置）→ろう義歯の一次埋没（下フラスコ内）→二次埋没（上フラスコ内）→流ろう→上下フラスコ分離→型整備→熱可塑性樹脂を型内に高圧高温注入→自然冷却（１時間程度）→取り出し
取り出しまでの工程において、本実施の形態の部分義歯では、金属クラスプを製造する必要がないので、その分、製造工程を省略することができる。また、熱可塑性樹脂は型内に高圧高温注入した後、自然冷却すれば自ずと硬化して製品状態になる。これに比べて、従来のレジン製の義歯床の部分義歯の場合、高温に保持してから徐冷却し取り出すまで、変形をより少なくするため１日程度かかる。したがってレジン製義歯床を用いる場合に比べて、工程短縮をはかることができる。  
【００３６】
取り出しの後、図１１に示す調整方法により簡単に調整することができる。咬合紙は、本来は、部分義歯を使用者に装着して、その咬合紙を上下の歯で咬合させて咬合紙から転写される色剤の濃淡により咬合具合をみるために用いられる。しかし、図１１に示すように、部分義歯の製造における調整工程に用いることができる。咬合紙は色剤が薄くコートされており、接触物に対して接触圧の高さに応じて色剤を接触物に転写する。この咬合紙を石膏模型上に置いて、咬合紙がしわくちゃになるのをかまわず、咬合紙を石膏模型との間に挟んで、部分義歯を装着する。咬合紙は、ロールに巻かれていて平坦であるが、部分義歯によって石膏模型に押し込まれるので、しわくちゃになった状態で、石膏模型と部分義歯との間に挟まれる。このとき、部分義歯の不都合に突出している部分では高い圧力が咬合紙にかかり、色剤が濃く転写される。この濃く転写された部分を削合工具で削合する。
熱可塑性樹脂の一体射出成形で製造された部分義歯の場合、凹状嵌め合わせ部に金属クラスプを含まないので、咬合紙の色剤が濃く転写された部分を容易に削合することができ、調整の能率を非常に向上させることができる。削合は、歯科用の電動ドリルの先に、差し替え可能な削合用工具（カーボランダムポイントなど）を取り付けて行うもので、常用されている。咬合紙としては、どのようなものでもよいが、ドイツＨＡＮＥＬ社のOkklusions-Foile（厚み：１２μｍ、色：赤）REF480032を用いるのがよい。色は赤がよいが青でもよい。部分義歯に色剤が転写され、石膏模型には色剤が転写されないほうがよいので、片面にのみ色剤が塗布された咬合紙を用いるのがよい。この色剤片面塗布の咬合紙の場合は、当然、色剤が部分義歯１０に直接当たるように配置する。  
【００３７】
（実施の形態２）
図１２は、本発明の実施の形態２における部分義歯１０を示す斜視図である。この部分義歯１０は、下顎用であり、鉤歯への凹状嵌め合せ部Ｃ１，Ｃ２を備える。患者は、下顎左５〜７番、右６〜７番を欠損しており、部分義歯１０は上記欠損部を補うものである。右側の人工歯を固定する樹脂部と、左側の人工歯を固定する樹脂部とをつなぐ連結部は、通常、金属製の大連結子で構成されるが、図１２に示すように、本発明では、この部分も熱可塑性樹脂で形成される。ただし、金属補強線は埋設されている。図面の構造を見やすくするために金属補強線は省略している。凹状嵌め合せ部Ｃ１，Ｃ２は、ともに次の形状を有する。
（凹状嵌め合せ部Ｃ１，Ｃ２）：
鉤歯の頬側に延び出る頬側延び出し部１１と、鉤歯の舌側に形成される壁状部分２１とで構成される。上述のように、頬側に延び出し部があるので、凹状嵌め合せ部Ｃ１，Ｃ２は、延び出し構造タイプである。２つの凹状嵌め合せ部Ｃ１，Ｃ２は、左右の相違はあるがほとんど同じ構造を有する。
【００３８】
図１３は、凹状嵌め合せ部Ｃ１の拡大図である。２つの凹状嵌め合せ部Ｃ１，Ｃ２について、実施の形態１の部分義歯の凹状嵌め合わせ部と同様に、次の構造を挙げることができる。
（１）内周面Ｆは、その根本側を義歯床裏面２０ｂに画され（限界づけられ）、義歯床裏面２０ｂに対して交差するように立っている。内周面Ｆと、凹状嵌め合わせ部の裏面または義歯床裏面２０ｂとのなす角度は、直角に近く、明らかに（直角−３０°）〜（直角＋６０°）の範囲にある。
（２）内周面Ｆは、幅（高さ方向）は短く切り上がっていて、鉤歯の歯牙と歯茎との境界の凹状屈曲部に対応する突状ラインはない。
（３）凹状嵌め合わせ部Ｃ１，Ｃ２は、それぞれ、明らかに鉤歯の周囲の周長の６５％以下に嵌め合わされている。
（４）端部人工歯Ｌ５について、その端部人工歯の頬側露出部の高さＴｅは、その根本側の義歯床の頬側部高さＢｅよりも大きい。すなわち、Ｔｅ＞Ｂｅ、が満たされている。
（５）凹状嵌め合せ部Ｃ１，Ｃ２の一方（第１の凹状嵌め合わせ部）を水平方向に鉤歯に緩く嵌め合わせ、そこを支点にして水平方向に回転させて、他方（第２の凹状嵌め合わせ部）を鉤歯に嵌め合わせる。第１の嵌め合わせ部がキーとすると、第２の嵌め合わせ部はロックとなる。ロックが外されない限り、キーは外れない。鉤歯の歯軸方向に沿う離脱力に対しては外れない。
【００３９】
本実施の形態の部分義歯１０は、上記（１）〜（５）の構造上の特徴を備える。このため、熱可塑性樹脂の一体射出成形で形成することによる製造上の簡単さ、と共に、金属製クラスプを備えなくても、装着状態を安定に保つことができる。また、金属クラスプを備えないことによる審美性の向上を得ることができる。さらに、小さい凹状嵌め合わせ部、および小振りの義歯床によって、口腔内の違和感をなくすことができる。
【００４０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００４１】
本発明の部分義歯により、ノンクラスプデンチャーにおける、装着状態から離脱しやすいという欠点を克服することができ、さらに、口腔内の違和感をなくすことができる。
【符号の説明】
【００４２】
１０  部分義歯、１１  頬側延び出し部、２０  義歯床、２０ｂ  義歯床裏面、２１  舌側部分（舌側延び出し部、舌側壁状部）、２９  金属補強線、３１  人工歯、  ３３  舌側部（壁状構造の凹状嵌め合わせ部の）、３４  近心側部（壁状構造の凹状嵌め合わせ部の）、３５  遠心側部（壁状構造の凹状嵌め合わせ部の）、１２０  ノンクラスプデンチャーの義歯床、１５０  ノンクラスプデンチャー、１６１ｈ  鉤歯が入り開口部、Ｂ  裏面（凹状嵌め合わせ部または義歯床）、Ｂｅ  端部人工歯の歯牙露出部の高さ、Ｂｖ  ノンクラスプデンチャーの歯茎当接面、ｄ  頬側延び出し部の中心の厚み、Ｆ  内周面、Ｋ  鉤歯の歯牙と歯茎との境目の凹状屈曲部、Ｔｅ  端部人工歯の義歯床の頬側高さ、Ｙ    頬側延び出し部の中心の高さ（幅）、Ｗ  ノンクラスプデンチャーのウィング、Ｚ  突状ライン（ノンクラスプデンチャー）、θＮ  内周面と裏面とがなす角度。
【図１】
2010201092.tif 000003
【図２】
2010201092.tif 000004
【図３】
2010201092.tif 000005
【図４】
2010201092.tif 000006
【図５】
2010201092.tif 000007
【図６】
2010201092.tif 000008
【図７】
2010201092.tif 000009
【図８】
2010201092.tif 000010
【図９】
2010201092.tif 000011
【図１０】
2010201092.tif 000012
【図１１】
2010201092.tif 000013
【図１２】
2010201092.tif 000014
【図１３】
2010201092.tif 000015
【図１４】
2010201092.tif 000016
【図１５】
2010201092.tif 000017
【図１６】
2010201092.tif 000018
【図１７】
2010201092.tif 000019
【図１８】
2010201092.tif 000020